(57)【要約】      （修正有）【課題】把持部を容易に交換できる介護用把持具を提供する。【解決手段】介護用把持具１０は、ベルト部材２０と、ベルト部材２０に取付けられた把持部とを有し、ベルト部材２０を親指以外の４本の指に回し掛けた状態で把持部を把持可能に構成される。把持部は、ベルト部材２０の長手辺２０ｃに一端部３０ａが接続された矩形の帯状部材３０と、帯状部材３０を巻き掛けてベルト部材に保持される心材４０とからなり、帯状部材３０の他端部３０ｂには第１面ファスナーの一方の部材３１が配置され、ベルト部材に第１面ファスナーの他方の部材２２が配置され、帯状部材３０の他端部３０ｂとベルト部材２０とを着脱可能として心材４０を交換可能とした。【選択図】図１
0003205493.tif 000002
【実用新案登録請求の範囲】
【請求項１】
ベルト部材と、前記ベルト部材に取付けられた把持部とを有し、前記ベルト部材を親指以外の４本の指部に回し掛けた状態で前記把持部を把持可能に構成した介護用把持具であって、
前記把持部は、前記ベルト部材の長手辺に一端部が接続された矩形の帯状部材と、この帯状部材を巻き掛けて前記ベルト部材に保持される心材とにより構成され、
前記帯状部材の他端部には第１面ファスナーの一方の部材が配置され、前記ベルト部材に前記第１面ファスナーの他方の部材が配置され、前記帯状部材の他端部と前記ベルト部材とを着脱可能とし、前記心材を交換可能としたことを特徴とする介護用把持具。
【請求項２】
前記ベルト部材の一端には、前記ベルト部材を他端から挿通可能な環状部材が配置され、前記ベルト部材には前記他端を前記環状部材に通して折り返した状態において前記ベルト部材に接続位置を可変に接続する第２面ファスナーを、人体と接触しない側に配置したことを特徴とする請求項１に記載の介護用把持具。
【請求項３】
前記心材は、メラミンスポンジ製の円筒形状であることを特徴とする請求項２に記載の介護用把持具。
【請求項４】
前記ベルト部材及び前記帯状部材は布を縫製して形成したことを特徴とする請求項１から請求項３までのいずれか一項に記載の介護用把持具。
【考案の詳細な説明】
【技術分野】
【０００１】
本考案は、握った指で手のひらを損傷するのを防ぐ介護用把持具に関する。
【背景技術】
【０００２】
病院、養護施設、家庭等において、手指が自由に動かせない状態にある患者、高齢者、重度の痴呆症の患者等は、手を握り締めたままの状態を続けることがある。このような状態が続くと、手のひらの血流が悪化したり、指の爪が手のひらに食い込んで手のひらを損傷させたりする。
【０００３】
これに対処するため、丸めたタオル等を握らせることが行われる。しかし、単にタオル等を握らせるだけでは、手が緩んだときタオル等が落下してしまう。このような状況に対処するため、様々な用具、器具が提案されている。
【０００４】
特許文献１には、手のひらを保護するための握り部を有し、この握り部の少なくとも一方の端部に、指間に差し込まれる突出部を有するバンド状部を設け、握り部内部に芯材を有し、且つその芯材を握り部内部から出し入れできる介護用把持具が記載されている。
【０００５】
特許文献２には、長手方向の長さが手の幅とほぼ同等であり、手のひらで握ることができる握り体、該握り体の表面に長手方向に沿って設けられており、中指を含む複数の手指を通すための通し部を有する指通し、前記握り体の表面に少なくとも一つ以上設けられた溝ないし凹部、前記握り体の略中央部を、長手方向に貫通する貫通孔を備えた介護用把持具が記載されている。
【特許文献１】特開２００４−２０１６７６号公報
【特許文献２】特開２００８-４３４７６号公報
【考案の開示】
【考案が解決しようとする課題】
【０００６】
このような介護用把持具にあっては、把持部は経時的に変形して弾力がなくなったり、汚れたりするため、頻繁に交換したいという要望がある。しかし、従来の介護用把持具にあっては、指や手のひらで把持する把持部を交換できないという問題がある。
【０００７】
本考案は上述した課題に鑑みてなされたものであり、把持部を容易に交換できる介護用把持具を提供することを目的とする。
【課題を解決するための手段】
【０００８】
前記課題を解決する請求項１に記載の考案は、ベルト部材と、前記ベルト部材に取付けられた把持部とを有し、前記ベルト部材を親指以外の４本の指部に回し掛けた状態で前記把持部を把持可能に構成した介護用把持具であって、前記把持部は、前記ベルト部材の長手辺に一端部が接続された矩形の帯状部材と、この帯状部材を巻き掛けて前記ベルト部材に保持される心材とにより構成され、前記帯状部材の他端部には第１面ファスナーの一方の部材が配置され、前記ベルト部材に前記第１面ファスナーの他方の部材が配置され、前記帯状部材の他端部と前記ベルト部材とを着脱可能とし、前記心材を交換可能としたことを特徴とする。
本考案によれば、心材はベルト部材に保持された状態から、第１面ファスナーの連結を解除して帯状部材の他端をベルト部材から取り外すことにより取り外すことができる。更に新たな心材を帯状部材で巻掛けて第１面ファスナーを連結することで帯状部材に保持できる。よって、心材を容易に交換することができる。
【０００９】
同じく請求項２に記載の考案は、前記ベルト部材の一端には、前記ベルト部材を他端から挿通可能な環状部材が配置され、前記ベルト部材には前記他端を前記環状部材に通して折り返した状態において前記ベルト部材に接続位置を可変に接続する第２面ファスナーを、人体と接触しない側に配置したことを特徴とする。
本考案によれば、ベルト部材の他端を環状部材に挿入して折り返し、第２面ファスナーによってベルト部材に接続できる。よって、ベルト部材の寸法を変更でき、また、面ファスナーが人体に接触することがないので、人体に違和感や損傷を生じさせない。
【００１０】
同じく請求項３に記載の考案は、前記心材は、メラミンスポンジ製の円筒形状であることを特徴とする。
本考案によれば、心材を適度の硬度や弾力性とすることができる。よって、介護用把持具として最適な心材を使用することができる。
【００１１】
同じく請求項４に記載の考案は、前記ベルト部材及び前記帯状部材は布を縫製して形成したことを特徴とする。
本考案によれば、布を縫製加工することにより、介護用把持具を製造できる。よって、介護用把持具を安価且つ容易に製造できる。
【考案の効果】
【００１２】
本考案によれば、把持部を容易に交換することができ、適度な弾力性や硬度を備え、清潔な心材を備えた介護用把持具を提供できる。
【００１３】
即ち、請求項１に記載の介護用把持具によれば、把持部の心材をベルト部材に保持された状態から第１面ファスナーの連結を解除して帯状部材の他端をベルト部材から取り外すことにより取り外すことができ、更に新たな心材を帯状部材で巻掛けて第１面ファスナーを連結することで帯状部材に保持できる野で、心材を容易に交換することができる。
【００１４】
また、請求項２に記載の介護用把持具によれば、ベルト部材の他端を環状部材に挿入して折り返し、第２面ファスナーによってベルト部材に接続できるので、ベルト部材の寸法を変更でき、また、面ファスナーが人体に接触することがないので、人体に違和感や損傷を生じさせない。
【００１５】
更に、請求項３に記載の介護用把持具によれば、適度の硬度や弾力性とすることができ、介護用把持具として最適な心材を使用することができる。
【００１６】
そして、請求項４に記載の介護用把持具によれば、布を縫製加工することにより介護用把持具を製造できるので、介護用把持具を安価且つ容易に製造できる。
【図面の簡単な説明】
【００１７】
【図１】本考案の実施形態に係る介護用把持具を展開した状態で示すものであり、（ａ）は平面図、（ｂ）は正面図である。
【図２】同介護用把持具に係る介護用把持具を展開した状態で示すものであり、（ａ）は底面図、（ｂ）は背面図である。
【図３】同介護用把持具に係る介護用把持具の帯状部材を心材に掛け回す状態で示すものであり、（ａ）は平面図、（ｂ）は正面図である。
【図４】同介護用把持具に係る介護用把持具の心材をベルト部材に保持した状態で示すものであり、（ａ）は平面図、（ｂ）は正面図である。
【図５】同介護用把持具に係る介護用把持具の使用状態を示すものであり、（ａ）は側面図、（ｂ）は正面図である。
【図６】同介護用把持具に係る介護用把持具の使用状態を手指と共に示す正面図である。
【考案を実施するための最良の形態】
【００１８】
本考案を実施するための形態に係る介護用把持具について説明する。図１は本考案の実施形態に係る介護用把持具を展開した状態で示すものであり、（ａ）は平面図、（ｂ）は正面図、図２は同介護用把持具に係る介護用把持具を展開した状態で示すものであり、（ａ）は底面図、（ｂ）は背面図である。また、図３は同介護用把持具に係る介護用把持具の帯状部材を心材に掛け回す状態で示すものであり、（ａ）は平面図、（ｂ）は正面図、図４は同介護用把持具に係る介護用把持具の心材をベルト部材に保持した状態で示すものであり、（ａ）は平面図、（ｂ）は正面図である。
【００１９】
介護用把持具１０は、ベルト部材２０とこのベルト部材２０に取付けられた把持部５０とからなる。把持部５０は、ベルト部材２０の長手辺２０ｃに一端部３０ａが接続された矩形の帯状部材３０と、この帯状部材３０を巻き掛けてベルト部材２０に保持される心材４０とからなる。
【００２０】
ベルト部材２０は、布を縫製して製造される。ベルト部材２０は、親指を除く４本の指の周囲に巻き掛けることができる長さと、心材４０を保持できる幅寸法を備える。ベルト部材２０の一端２０ａには、ベルト部材２０を他端２０ｂ側から挿通可能な環状部材２１が配置されている。環状部材２１にベルト部材２０を挿通することで、４本の指に巻掛けて長さを調整する。
【００２１】
環状部材２１は、一端２０ａを折り返して縫製してベルト部材２０に取付けられる。また、ベルト部材２０には、ベルト部材２０の他端２０ｂを環状部材２１に通して折り返した状態においてベルト部材２０に接続位置を可変に接続する第２面ファスナー２３を配置する。この第２面ファスナー２３は、ベルト部材２０を４本の指６２に巻き付けたとき、人体と接触しない側に配置している。これにより図５に示すように、ベルト部材２０を任意の大きさのリング状とすることができ、使用する者の４本の指６２のサイズに合わせることができる。また、第２面ファスナー２３が人体に接触して人体を傷付けることがない。
【００２２】
帯状部材３０は、布を縫製して形成されており、ベルト部材２０に縫製で連結される。ベルト部材２０及び帯状部材３０は共に布製で縫製によって製造されるため、容易に製造できる共に、汚れたとき洗濯により清潔に保てる。
【００２３】
本実施形態では、帯状部材３０の他端部３０ｂには、第１面ファスナーの一方の部材３１が配置されている。また、ベルト部材２０に第１平面ファスナーの他方の部材２２が配置されている。心材４０は、図３及び図４に示すように、帯状部材３０が巻掛けられ、部材３１を部材２２に接合することにより、ベルト部材２０に保持される。
【００２４】
第１の面ファスナーの一方の部材３１と他方の部材２２を接合することにより帯状部材３０の他端部３０ｂをベルト部材２０に着脱可能とし、心材４０を交換可能とする。このため、心材４０は汚れたり劣化したりしたとき新たなものと交換可能である。
【００２５】
心材４０は、円筒系状のメラミンスポンジ製部材である。心材４０の直径は手で握ることができる寸法とする。なお、心材４０はメラミンスポンジが硬度や弾力性が適当であり、介護用把持具１０としての使用に好適であるが、他の素材で形成されたスポンジ等の弾性部材であってもよい。また、心材４０は厳密に円柱径である必要はなく、把持することで、４本の指６２の爪６３が手のひら６４に当接しなければどのような形状であってもよい。
【００２６】
介護用把持具１０によれば、図６に示すように、ベルト部材２０を手６０の親指６１以外の４本の指６２に巻掛けて、環状部材２１の他端２０ｂを環状部材２１に挿入して折り返して第２面ファスナー２３で固定することができる（図５参照）。これにより、４本の指６２が把持部５０を把持し、指６２の爪６３が手のひら６４を傷付けることがない。
【００２７】
また、ベルト部材２０及び帯状部材３０は布製であるので洗濯ができる他、心材４０を交換できるので、介護用把持具１０を清潔に保つことができる。また、心材４０が劣化した場合には、帯状部材３０から心材４０を外し、新たなものに交換できる。
【産業上の利用可能性】
【００２８】
本考案に係る介護用把持具は、把持部を容易に交換することができるので、産業上利用できる。
【符号の説明】
【００２９】
１０：介護用把持具
２０：ベルト部材
２０ａ：一端
２０ｂ：他端
２０ｃ：長手辺
２１：環状部材
２２：一方の部材
２３：第２面ファスナー
３０：帯状部材
３０ａ：一端部
３０ｂ：他端部
３１：他方の部材
４０：心材
５０：把持部
６０：手
６１：親指
６２：４本の指
６３：爪
３１：一方の部材
２２：他方の部材
【図１】
0003205493.tif 000003
【図２】
0003205493.tif 000004
【図３】
0003205493.tif 000005
【図４】
0003205493.tif 000006
【図５】
0003205493.tif 000007
【図６】
0003205493.tif 000008